(57)【要約】      （修正有）【課題】全長にわたり同一の電磁遮蔽構造及び可撓性を有する場合に比較して、要求される機能に応じて設計の自由度を向上させることが可能なフレキシブルフラットケーブルを提供する。【解決手段】フレキシブルフラットケーブル２００は、電磁遮蔽構造及び可撓性を有する第１のフラットケーブル部２０１と、第１のフラットケーブル部２０１と少なくとも一方が異なる電磁遮蔽構造及び可撓性を有する第２のフラットケーブル部２０２と、を備える。【選択図】図４
2016189240.tif 000002
【特許請求の範囲】
【請求項１】
電磁遮蔽構造及び可撓性を有する第１のフラットケーブル部と、
前記第１のフラットケーブル部と少なくとも一方が異なる電磁遮蔽構造及び可撓性を有する第２のフラットケーブル部と、
を備えるフレキシブルフラットケーブル。
【請求項２】
前記第１のフラットケーブル部は、前記第２のフラットケーブル部より電磁遮蔽機能が高く設定されている請求項１に記載のフレキシブルフラットケーブル。
【請求項３】
前記第２のフラットケーブル部は、前記第１のフラットケーブル部より可撓性が高く設定されている請求項１に記載のフレキシブルフラットケーブル。
【請求項４】
前記第１のフラットケーブル部は、当該第１のフラットケーブル部の全周にわたり電磁遮蔽構造を有する請求項１乃至３のいずれかに記載のフレキシブルフラットケーブル。
【請求項５】
前記第２のフラットケーブル部は、当該第２のフラットケーブル部の一方の表面にのみ電磁遮蔽構造を有する請求項１乃至３のいずれかに記載のフレキシブルフラットケーブル。
【請求項６】
前記フレキシブルフラットケーブルは、誘電体を含む異なる電磁遮蔽構造を有する前記第１のフラットケーブル部及び前記第２のフラットケーブル部のフレキシブルフラットケーブルの全長に対する電磁遮蔽構造の構成割合を変えることで、前記フレキシブルフラットケーブルに伝送される信号の周波数に対する共振減衰周波数帯域を４ＧＨｚ以上に設定した請求項１に記載のフレキシブルフラットケーブル。
【請求項７】
画像を読み取る画像読取素子が実装された第１の回路基板と、
前記第１の回路基板から出力される画像信号を処理する第２の回路基板と、
前記第１の回路基板と前記第２の回路基板とを接続するフレキシブルフラットケーブルと、
を備え、
前記フレキシブルフラットケーブルとして請求項１乃至６のいずれかに記載のフレキシブルフラットケーブルを用いた画像読取装置。
【請求項８】
原稿の画像を読み取る画像読取手段と、
前記画像読取手段によって読み取られた原稿の画像を形成する画像形成手段と、
を備え、
前記画像読取手段として請求項７に記載の画像読取装置を用いた画像形成装置。
【発明の詳細な説明】
【技術分野】
【０００１】
この発明は、フレキシブルフラットケーブル、画像読取装置及び画像形成装置に関する。
【背景技術】
【０００２】
従来、フレキシブルフラットケーブルを用いた電子機器に関する技術としては、例えば、特許文献１に開示されたものが既に提案されている。
【０００３】
特許文献１は、可動部に実装される基板と電子機器の主たる基板をフレキシブルフラットケーブルにより遊架接続し、電子機器のグランド電位に設定された筺体に対し、フレキシブルフラットケーブルは筺体に切欠き部を設けて筺体と接触しない状態で遊架させるように構成したものである。
【先行技術文献】
【特許文献】
【０００４】
【特許文献１】特開２０１３−１３１６７３号公報
【発明の概要】
【発明が解決しようとする課題】
【０００５】
この発明は、全長にわたり同一の電磁遮蔽構造及び可撓性を有する場合に比較して、要求される機能に応じて設計の自由度を向上させることが可能なフレキシブルフラットケーブル、画像読取装置及び画像形成装置を提供することを目的とする。
【課題を解決するための手段】
【０００６】
請求項１に記載された発明は、電磁遮蔽構造及び可撓性を有する第１のフラットケーブル部と、
前記第１のフラットケーブル部と少なくとも一方が異なる電磁遮蔽構造及び可撓性を有する第２のフラットケーブル部と、
を備えるフレキシブルフラットケーブルである。
【０００７】
請求項２に記載された発明は、前記第１のフラットケーブル部は、前記第２のフラットケーブル部より電磁遮蔽機能が高く設定されている請求項１に記載のフレキシブルフラットケーブルである。
【０００８】
請求項３に記載された発明は、前記第２のフラットケーブル部は、前記第１のフラットケーブル部より可撓性が高く設定されている請求項１に記載のフレキシブルフラットケーブルである。
【０００９】
請求項４に記載された発明は、前記第１のフラットケーブル部は、当該第１のフラットケーブル部の全周にわたり電磁遮蔽構造を有する請求項１乃至３のいずれかに記載のフレキシブルフラットケーブルである。
【００１０】
請求項５に記載された発明は、前記第２のフラットケーブル部は、当該第２のフラットケーブル部の一方の表面にのみ電磁遮蔽構造を有する請求項１乃至３のいずれかに記載のフレキシブルフラットケーブルである。
【００１１】
請求項６に記載された発明は、前記フレキシブルフラットケーブルは、誘電体を含む異なる電磁遮蔽構造を有する前記第１のフラットケーブル部及び前記第２のフラットケーブル部のフレキシブルフラットケーブルの全長に対する電磁遮蔽構造の構成割合を変えることで、前記フレキシブルフラットケーブルに伝送される信号の周波数に対する共振減衰周波数帯域を４ＧＨｚ以上に設定した請求項１に記載のフレキシブルフラットケーブルである。
【００１２】
請求項７に記載された発明は、画像を読み取る画像読取素子が実装された第１の回路基板と、
前記第１の回路基板から出力される画像信号を処理する第２の回路基板と、
前記第１の回路基板と前記第２の回路基板とを接続するフレキシブルフラットケーブルと、
を備え、
前記フレキシブルフラットケーブルとして請求項１乃至６のいずれかに記載のフレキシブルフラットケーブルを用いた画像読取装置である。
【００１３】
請求項８に記載された発明は、原稿の画像を読み取る画像読取手段と、
前記画像読取手段によって読み取られた原稿の画像を形成する画像形成手段と、
を備え、
前記画像読取手段として請求項７に記載の画像読取装置を用いた画像形成装置である。
【発明の効果】
【００１４】
請求項１に記載された発明によれば、全長にわたり同一の電磁遮蔽構造及び可撓性を有する場合に比較して、要求される機能に応じて設計の自由度を向上させることができる。
【００１５】
請求項２に記載された発明によれば、第１のフラットケーブル部が、第２のフラットケーブル部と同じ電磁遮蔽機能を有する場合に比較して、要求される機能に応じて電磁遮蔽機能の設計の自由度を向上させることができる。
【００１６】
請求項３に記載された発明によれば、第２のフラットケーブル部が、第１のフラットケーブル部と同じ可撓性を有する場合に比較して、要求される機能に応じて可撓性の設計の自由度を向上させることができる。
【００１７】
請求項４に記載された発明によれば、第１のフラットケーブル部が、当該第１のフラットケーブル部の全周にわたり電磁遮蔽構造を有しない場合に比較して、第１のフラットケーブル部の電磁遮蔽機能を向上させることができる。
【００１８】
請求項５に記載された発明によれば、第２のフラットケーブル部が、当該第２のフラットケーブル部の全周にわたり電磁遮蔽構造を設けた場合に比較して、第２のフラットケーブル部の可撓性を向上させることができる。
【００１９】
請求項６に記載された発明によれば、フレキシブルフラットケーブルは絶縁体固有の誘電性能によりある一定の伝送周波数領域で共振し伝送損失が大きくなるが、共振減衰周波数帯域を４ＧＨｚ以上の帯域に移動乃至変化させることができる。
【００２０】
請求項７に記載された発明によれば、全長にわたり同一の電磁遮蔽構造及び可撓性を有するフレキシブルフラットケーブルを用いた場合に比較して、要求される機能に応じて画像読取装置の設計の自由度を向上させることが可能となる。
【００２１】
請求項８に記載された発明によれば、全長にわたり同一の電磁遮蔽構造及び可撓性を有するフレキシブルフラットケーブルを用いた場合に比較して、要求される機能に応じて画像形成装置の設計の自由度を向上させることが可能となる。
【図面の簡単な説明】
【００２２】
【図１】この発明の実施の形態１に係るフレキシブルフラットケーブル及び画像読取装置を適用した画像形成装置を示す全体構成図である。
【図２】この発明の実施の形態１に係る画像読取装置を示す構成図である。
【図３】この発明の実施の形態１に係る画像読取装置の要部を示す斜視構成図である。
【図４】フレキシブルフラットケーブルを示す平面構成図である。
【図５】同図（ａ）はフレキシブルフラットケーブルを示す斜視構成図、同図（ｂ）は同図（ａ）のＣ−Ｃ線断面を示す模式図である。
【図６】同図（ａ）はフレキシブルフラットケーブルを示す平面構成図、同図（ｂ）はフレキシブルフラットケーブルを示す断面図である。
【図７】同図（ａ）はフレキシブルフラットケーブルの第１のフラットケーブル部を示す平面図、同図（ｂ）は背面図である。
【図８】同図（ａ）はフレキシブルフラットケーブルの第２のフラットケーブル部を示す平面図、同図（ｂ）は背面図である。
【図９】フレキシブルフラットケーブルのアイパターンを示す説明図である。
【図１０】フレキシブルフラットケーブルの伝送抵抗を示す説明図である。
【図１１】同図（ａ）は３００ｍｍの長さを有するフレキシブルフラットケーブルの減衰曲線を示すグラフ、同図（ｂ）は７００ｍｍの長さを有するフレキシブルフラットケーブルの減衰曲線を示すグラフである。
【図１２】この発明の実施の形態２に係る画像読取装置を示す構成図である。
【図１３】この発明の実施の形態２に係る画像読取装置の要部を示す斜視構成図である。
【発明を実施するための形態】
【００２３】
以下に、この発明の実施の形態について図面を参照して説明する。
【００２４】
[実施の形態１]
図１はこの発明の実施の形態１に係るフレキシブルフラットケーブル及び画像読取装置を適用した画像形成装置の全体の概要を示す構成図である。
【００２５】
＜画像形成装置の全体の構成＞
実施の形態１に係る画像形成装置１は、例えばカラー複写機として構成されたものである。画像形成装置１は、原稿６の画像を読み取る画像読取装置３と、画像データに基づいて記録媒体に画像を形成する画像形成手段の一例としての画像形成部２とを備えている。画像読取装置３は、画像形成部２を収容した装置本体１ａの上方に支持部４により支持された状態で配置されており、画像読取装置３と装置本体１ａとの間には画像が形成された記録媒体を排出するための空間を形成している。
【００２６】
また、画像読取装置３には、図１に示されるように、その筐体３１の前面に位置する前壁３１１の上部に、画像形成装置１及び画像読取装置３を操作する操作部としてのコントロールパネル１０１が設けられている。コントロールパネル１０１は、ユーザに操作メニューや警告、メッセージ等を表示する表示部を兼ねるとともに表示した操作メニューに対する各種設定等を受け付けるタッチパネル１０２、及び複数の操作ボタン１０３を有している。
【００２７】
画像形成部２は、現像剤を構成するトナーで現像されるトナー像を形成する複数の作像装置１０と、各作像装置１０で形成されるトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙5上のトナー像を定着させる定着装置４０等を備えている。なお、装置本体１ａは支持構造部材、外装カバー等で形成されている。
【００２８】
作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。これらの４つの作像装置１０（Ｙ，Ｍ，Ｃ，Ｋ）は、本体１ａの内部空間において傾斜した状態で１列に並べた状態となるよう配置されている。
【００２９】
各作像装置１０（Ｙ，Ｍ，Ｃ，Ｋ）は、図１に示されるように、像保持体の一例としての回転する感光体ドラム１１を備えており、この感光体ドラム１１の周囲に、次のようなトナー像形成手段の一例としての各装置が主に配置されている。主な装置とは、感光体ドラム１１の像形成が可能な周面（像保持面）を所要の電位に帯電させる帯電装置１２と、感光体ドラム１１の帯電された周面に画像の情報（信号）に基づく光を照射して電位差のある（各色用の）静電潜像を形成する露光装置１３と、その静電潜像を対応する色（Ｙ，Ｍ，Ｃ，Ｋ）の現像剤のトナーで現像してトナー像にする現像装置１４（Ｙ，Ｍ，Ｃ，Ｋ）と、その各トナー像を中間転写装置２０に転写する一次転写手段の一例としての一次転写装置１５（Ｙ，Ｍ，Ｃ，Ｋ）と、一次転写後における感光体ドラム１１の像保持面に残留して付着するトナー等の付着物を取り除いて清掃する図示しないドラム清掃装置等である。
【００３０】
感光体ドラム１１は、接地処理される円筒状又は円柱状の基材の周面に感光材料からなる光導電性層（感光層）を有する像保持面を形成したものである。この感光体ドラム１１は、図示しない回転駆動装置から動力が伝達されて矢印で示す方向に回転するように支持されている。
【００３１】
帯電装置１２は、感光体ドラム１１に接触した状態で配置される接触型の帯電ロールで構成される。帯電装置１２には帯電用電圧が供給される。帯電用電圧としては、現像装置１４が反転現像を行うものである場合、その現像装置１４から供給されるトナーの帯電極性と同じ極性の電圧又は電流が供給される。なお、帯電装置１２としては、感光体ドラム１１の表面に非接触状態で配置されるスコロトロン等の非接触型の帯電装置を用いてもよい。
【００３２】
露光装置１３は、画像形成装置１に入力される画像の情報に応じて構成される光ＬＢを、帯電された後の感光体ドラム１１の周面に対して照射して静電潜像を形成するものである。露光装置１３には、潜像形成時になると画像形成装置１に任意の手段で入力される画像の情報（信号）が送信される。
【００３３】
現像装置１４（Ｙ，Ｍ，Ｃ，Ｋ）はいずれも、開口部と現像剤の収容室が形成された筐体の内部に、現像剤を保持して感光体ドラム１１と向き合う現像領域まで搬送する現像ロールと、現像剤を攪拌しながら現像ロールを通過させるよう搬送する２つのスクリューオーガー等の図示しない第１及び第２の攪拌搬送部材と、現像ロールに保持される現像剤の量（層厚）を規制する図示しない層厚規制部材などを配置して構成したものである。この現像装置１４には、その現像ロールと感光体ドラム１１の間に現像用電圧が図示しない電源装置から供給される。また、現像ロールや攪拌搬送部材は、図示しない回転駆動装置からの動力が伝達されて所要の方向に回転する。さらに、上記４色の現像剤（Ｙ，Ｍ，Ｃ，Ｋ）としては、非磁性トナーと磁性キャリアを含む二成分現像剤が使用される。
【００３４】
一次転写装置１５（Ｙ，Ｍ，Ｃ，Ｋ）は、感光体ドラム１１の周囲に中間転写ベルト２１を介して接触し回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００３５】
ドラム清掃装置は、感光体ドラム１１の周面に接触するように配置されて残留トナー等の付着物を取り除いて清掃する。
【００３６】
中間転写装置２０は、図１に示されるように、各作像装置１０（Ｙ，Ｍ，Ｃ，Ｋ）の上方の位置に存在するように配置される。この中間転写装置２０は、感光体ドラム１１と一次転写装置１５（一次転写ロール）の間となる一次転写位置を通過しながら矢印で示す方向に回転する中間転写ベルト２１と、中間転写ベルト２１をその内面から所望の状態に保持して回転自在に支持する複数のベルト支持ロール２２〜２４,２６と、ベルト支持ロール２３に支持されている中間転写ベルト２１の外周面（像保持面）側に配置されて中間転写ベルト２１上のトナー像を記録用紙５に二次転写させる二次転写部材の一例としての二次転写装置２５と、二次転写装置２５を通過した後に中間転写ベルト２１の外周面に残留して付着するトナー、紙粉等の付着物を取り除いて清掃する図示しないベルト清掃装置とで主に構成されている。
【００３７】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は図示しない駆動装置によって回転駆動される駆動ロールとして構成され、ベルト支持ロール２３は二次転写のバックアップロールとして構成され、ベルト支持ロール２４は中間転写ベルト２１に張力を付与する張力付与ロールとして構成され、ベルト支持ロール２６は中間転写ベルト２１の走行位置を調整する従動ロールとして構成されている。
【００３８】
二次転写装置２５は、図１に示されるように、中間転写装置２０におけるベルト支持ロール２３に支持されている中間転写ベルト２１の外周面部分である二次転写位置において、中間転写ベルト２１の周面に接触して回転するとともに二次転写用電圧が供給される二次転写ロールを備えた接触型の転写装置である。また、二次転写ロール２５又は中間転写装置２０の支持ロール２３には、トナーの帯電極性と逆極性又は同極性を示す直流の電圧が二次転写用電圧として供給される。
【００３９】
ベルト清掃装置は、中間転写ベルト２１の周面に所要の圧力で接触するように配置されて残留トナー等の付着物を取り除いて清掃する。
【００４０】
定着装置４０は、表面温度が所要の温度に保持されるよう加熱手段によって加熱されるドラム形態又はベルト形態の加熱回転体４１と、この加熱回転体４１の軸方向にほぼ沿う状態で所定の圧力で接触して回転するドラム形態又はベルト形態の加圧用回転体４２などを配置して構成されたものである。この定着装置４０では、加熱回転体４１と加圧用回転体４２が接触する接触部が所要の定着処理（加熱及び加圧）を行う定着処理部となる。
【００４１】
給紙装置５０は、イエロー（Ｙ）、マゼンタ（Ｍ）、シアン（Ｃ）及びブラック（Ｋ）の作像装置１０（Ｙ，Ｍ，Ｃ，Ｋ）の下方側の位置に存在するように配置される。この給紙装置５０は、所望のサイズ、種類等の記録用紙５を積載した状態で収容する複数（又は単数）の用紙収容体５１１〜５１３と、用紙収容体５１１〜５１３から記録用紙５を１枚ずつ送り出す送出装置５２，５３とで主に構成されている。用紙収容体５１１〜５１３は、例えば、本体１ａの正面（使用者が操作時に向き合う側面）側に引き出すことができるように取り付けられている。
【００４２】
記録用紙５としては、例えば、電子写真方式の複写機、プリンタ等に使用される普通紙やＯＨＰシート等が挙げられる。定着後における画像表面の平滑性をさらに向上させるには、記録媒体５の表面もできるだけ平滑であることが好ましく、例えば、普通紙の表面を樹脂等でコーティングしたコート紙、印刷用のアート紙等の坪量が相対的に大きい所謂厚紙なども使用することができる。
【００４３】
給紙装置５０と二次転写装置２５との間には、給紙装置５０から送り出される記録用紙５を二次転写位置まで搬送する複数（又は単数）の用紙搬送ロール対５４，５５等で構成される給紙搬送路５６が設けられている。用紙搬送ロール対５５は、例えば記録用紙５の搬送時期を調整するロール（レジストロール）として構成されている。また、画像形成装置本体１ａの用紙の排出口には、定着装置４０から送り出される定着後の記録用紙５を本体１ａの上部に設けられた用紙排出部５７に排出するための用紙排出ロール対５８が配置されている。
【００４４】
＜画像形成装置の基本的な動作＞
以下、画像形成装置１による基本的な画像形成動作について説明する。
【００４５】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を説明する。
【００４６】
画像形成装置１は、画像形成動作（プリント）の要求の指令情報を受けると、４つの作像装置１０（Ｙ，Ｍ，Ｃ，Ｋ）、中間転写装置２０、二次転写装置２５、定着装置４０等が始動する。
【００４７】
そして、各作像装置１０（Ｙ，Ｍ，Ｃ，Ｋ）においては、対応する色のトナーでそれぞれ現像された４色（Ｙ，Ｍ，Ｃ，Ｋ）のトナー像として顕像化される。各作像装置１０（Ｙ，Ｍ，Ｃ，Ｋ）で形成された各色のトナー像が一次転写位置まで搬送されると、一次転写装置１５が、その各色のトナー像を中間転写装置２０の矢印で示す方向に回転する中間転写ベルト２１に対して順番に重ね合わせるような状態で一次転写させる。続いて、中間転写装置２０は、中間転写ベルト２１の回転により一次転写されたトナー像を保持して二次転写位置まで搬送する。一方、給紙装置５０では、作像動作に合わせて所要の記録用紙５を給紙搬送路５６に送り出す。給紙搬送路５６では、レジストロールとしての用紙搬送ロール５５が記録用紙５を転写時期に合わせて二次転写位置に送り出して供給する。
【００４８】
二次転写位置においては、二次転写ロール２５が、中間転写ベルト２１上のトナー像を記録用紙５に一括して二次転写させる。また、二次転写が終了した後の中間転写装置２０では、図示しないベルト清掃装置が、二次転写後の中間転写ベルト２１の表面に残留したトナー等の付着物を取り除いて清掃する。
【００４９】
続いて、トナー像が二次転写された記録用紙５は、中間転写ベルト２１と二次転写ロール２５から剥離された後に定着装置４０まで搬送される。定着装置４０では、必要な定着処理（加熱及び加圧）をして未定着のトナー像を記録用紙５に定着させる。最後に、定着が終了した後の記録用紙５は、排出ロール５８により、例えば装置本体１ａの上部に配置された排出収容部５７に排出される。
【００５０】
以上の動作により、４色のトナー像を組み合わせて形成されるフルカラー画像が形成された記録用紙５が排出される。
【００５１】
＜画像読取装置の構成＞
図２はこの実施の形態１に係るフレキシブルフラットケーブルを適用した画像読取装置の構成を示す概略構成図である。
【００５２】
画像読取装置３は、大別して、上端面に原稿読取面が形成された筐体３１と、筐体３１に対して開閉自在に取り付けられた原稿押さえカバー３２と、原稿押さえカバー３２の一端部に設けられた自動原稿搬送装置（ＤＡＤＦ: Duplex Automatic Document Feeder)３３とを備えている。
【００５３】
この画像読取装置３は、ユーザの操作に応じて、自動原稿搬送装置（ＤＡＤＦ）３３によって原稿６を一枚ずつ自動的に搬送しながら原稿６を読み取る第１の読取モードと、後述する原稿台７６の上に置かれた原稿６を読み取る第２の読取モードとに切り替え可能に構成されている。図２の実線は、第１の読取モードにおける原稿読み取り時の各部材の状態を示している。
【００５４】
自動原稿搬送装置３３は、原稿６を積載した状態で収容し配置する原稿収容部６０と、原稿収容部６０から原稿６を送り出す送出ロール６１と、送出ロール６１によって送り出された原稿６を１枚ずつ捌く捌きロール６２と、原稿６を原稿読取位置へ搬送する搬送ロール６３〜６７と、原稿６を排出収容部６８へ排出する排出ロール６９から構成される原稿搬送機構を有している。これらの送出ロール６１、捌きロール６２、搬送ロール６３〜６７及び排出ロール６９は、原稿６の読み取り時に図示しない駆動手段によって駆動される。搬送ロール６４は、レジストロールとして機能し、搬送ロール６４の搬送方向に沿った上流側に位置する搬送ロール６３は、プリレジストロールとして機能する。なお、搬送ロール６７は、原稿６の上面（裏面）を押さえるためのロールである。
【００５５】
原稿６の搬送方向に沿って配置される搬送ロール６３及び搬送ロール６４は、搬送方向に対する原稿６の傾きを機械的に補正する補正手段として機能する。原稿６の搬送方向に沿った上流側に位置する搬送ロール６３のうち駆動ロールとしての搬送ロール６３ｂは、図２に示されるように、図示しない駆動モーター等を駆動手段として、図の正回転方向Ｒａと逆回転方向Ｒｂに回転可能に構成されている。従動ロールである搬送ロール６３ａは、搬送ロール６３ｂに圧接した状態で、搬送ロール６３ｂの回転にしたがって回転するものである。その際、搬送ロール６３ａの回転方向に対して搬送ロール６３ｂの回転方向は反対方向となる。
【００５６】
同様に、原稿６の搬送方向に沿った下流側に位置する搬送ロール６４のうち駆動ロールとしての搬送ロール６４ｂは、図示しない駆動モーター等を駆動手段として、図の正回転方向Ｒａと逆回転方向Ｒｂに回転可能に構成されている。従動ロールである搬送ロール６４ａは、搬送ロール６４ｂに圧接した状態で、搬送ロール６４ｂの回転にしたがって回転するものである。その際、搬送ロール６４ａの回転方向に対して搬送ロール６４ｂの回転方向は反対方向となる。
【００５７】
搬送ロール６３は、原稿６の先端を下流側に位置する停止中の搬送ロール６４に突き当てることで撓ませ、搬送される原稿６を搬送方向に対して傾き補正（以下、「スキュー補正」という。）を行う機械によるスキュー補正手段を構成している。また、搬送ロール６４は、同様に、原稿の先端を下流側に位置する停止中の搬送ロール６５に突き当てることで撓ませ、搬送される原稿を搬送方向に対してスキュー補正を行う機械による同じくスキュー補正手段を構成している。ただし、搬送ロール６３，６４は、制御部によって制御され、必要時にのみ機械によるスキュー補正を実行する。そのため、搬送ロール６３，６４は、通常、正回転方向Ｒａに回転駆動される。なお、搬送ロール６３，６４は、必ずしも双方の搬送ロール６３，６４を用いて原稿６のスキューを二段階に補正する必要はなく、一方の搬送ロール６３又は搬送ロール６４のみを用いて原稿６のスキュー補正を行うように構成しても良い。
【００５８】
また、自動原稿搬送装置３３は、原稿６を読取位置に案内するとともに読取位置から排出方向に案内する湾曲形状の読取ガイド７０、読取窓７１の上方であって読取ガイド７０に設けられた板状の正反射板７２、原稿６の副走査方向のサイズを検知する第１のサイズ検知センサ７３、同じく原稿６の副走査方向のサイズを検知する第２のサイズ検知センサ７４、必要に応じて原稿６の裏面の画像を読み取る裏面読取部７５を有する。
【００５９】
画像読取装置３の筐体３１は、上端面の一部が開口した直方体状の箱体として形成されている。筐体３１は、原稿押さえカバー３２に対向する上壁３１２と、上壁３１２に対向する底壁３１３と、底壁３１３を挟んで副走査方向（図２の左右方向）に対向する側壁３１４及び側壁３１５と、上述した前壁３１１（図１参照）、及び前壁３１１と主走査方向（図２の紙面に直交する方向）に対向する後壁３１６とを有している。
【００６０】
筐体３１の上壁３１２には、第２の読取モード時に読み取られる原稿６の原稿読取位置に対応する部位に開口部３１７が形成されている。開口部３１７には、原稿６を支持する透明な原稿台７６（プラテンガラス）が配置されている。また、原稿台７６の自動原稿搬送装置３３側には、第１の読取モード時に原稿６を読み取るための透明な読取窓７１が設けられている。読取窓７１と原稿台７６との間には、第１の読取モード時において原稿６を案内するための案内部材７７が設けられている。
【００６１】
画像読取装置３は、図２及び図３に示されるように、筐体３１の内部に、原稿６を照明するための光を照射するＬＥＤ（Light Emitting Diode）や照明ランプ等からなる光源７８と、原稿６の反射光を受けるミラー８０と、ミラー８０からの反射光をＣＣＤ（Charge-Coupled Device）等からなる画像読取素子８３に結像する結像レンズ８４と、原稿６の画像を読み取る画像読取素子８３と、画像読取素子８３を実装した第１の回路基板９０などを有する画像読取部８９とを備えている。光源７８、ミラー８０、画像読取素子８３及び回路基板９０は、主走査方向に沿って配置されている。
【００６２】
光源７８、ミラー８０、結像レンズ８４、画像読取素子８３及び回路基板９０は、副走査方向に沿って移動可能に設けられたキャリッジからなる移動体８５に固定されている。移動体８５は、筐体３１の後壁３１６及び前壁３１１に副走査方向に沿って配置されたレール８６によって、副走査方向に所要の移動速度で移動可能に構成されている。
【００６３】
第１の読取モードでは、図２に実線で示されるように、移動体８５を筐体３１の左端部に設定された読取位置で停止させた状態で、自動原稿搬送装置３３によって原稿６を自動的に搬送し、読取窓７１を通過する原稿６の画像を光源７８により照明し、原稿６からの反射光をミラー８０によって結像レンズ８４に向けて反射する。画像読取部８９は、ミラー８０からの反射光を結像レンズ８４によりＣＣＤ等からなる画像読取素子８３に結像し、画像読取素子８３によって原稿６の画像を読み取り画像データを出力する。
【００６４】
一方、第２の読取モードでは、原稿台７６上に原稿６を画像面を下にして載せ、原稿台７６上に載せた原稿６を原稿押さえカバー３２により押える。移動体８５は、筐体３１の後壁３１６及び前壁３１１に副走査方向に沿って配置されたレール８６により案内されて、副走査方向に移動しながら原稿６の読取対象領域を光源７８により照明し、原稿６からの反射光をミラー８０によって結像レンズ８４に向けて反射する。そして、移動体８５に設けられた画像読取部８９は、ミラー８０からの反射光を結像レンズ８４によりＣＣＤ等からなる画像読取素子８３に結像し、画像読取素子８３によって原稿６の画像を読み取り画像データを出力する。
【００６５】
＜画像読取装置の要部の構成＞
この実施の形態に係る画像読取装置３は、図３に示されるように、画像読取素子８３が実装された第１の回路基板９０と、第２の回路基板の一例としてのコントロール基板９１とを接続する本実施の形態に係るフレキシブルフラットケーブル（ＦＦＣ：Flexible Flat Cable）２００を備えている。コントロール基板９１は、画像読取装置３の筺体３１又は画像形成装置１の本体１ａに設けられる。
【００６６】
画像読取素子８３は、受光面に結像された原稿６の光学像を光電変換する。画像読取素子８３が実装された第１の回路基板９０は、画像読取素子８３から出力される信号に基づいてアナログ又はデジタルの電気信号である読取データを生成して出力するものである。また、コントロール基板９１は、第１の回路基板９０から出力された読取データに対して、必要に応じてデジタルの電気信号に変換し、デジタル信号からなる読取データに対して、予め定められた画像処理を行った画像データを生成して出力する機能を有している。コントロール基板９１で行われる画像処理は、原稿６の原稿サイズに応じて、画像処理におけるパラメータや処理の仕方等が予め定められている処理であり、例えば、シェーディング補正処理や拡縮処理等が挙げられる。また、コントロール基板９１は、画像処理が施された画像データを出力する出力インターフェイスなどの機能を備えている。
【００６７】
フレキシブルフラットケーブル２００は、図３及び図４に示されるように、コントロール基板側に配置される第１のフラットケーブル部２０１と、第１の回路基板９０側に接続される第２のフラットケーブル部２０２とを備えている。第１のフラットケーブル部２０１は、コントロール基板側に固定した状態で配置されている。これに対して、第２のフラットケーブル部２０２は、図３及び図５に示されるように、移動体８５の副走査方向に沿った移動に伴いＡ点からＢ点まで折り曲げられた状態で移動する摺動部に配置されている。第１及び第２のフラットケーブル部２０１，２０２は、共に電磁遮蔽構造及び可撓性を有しているが、第１のフラットケーブル部２０１及び第２のフラットケーブル部２０２は、電磁遮蔽構造及び可撓性のうち、少なくとも一方が他方のフラットケーブル部と異なるように構成されている。
【００６８】
フレキシブルフラットケーブル２００は、図６に示されるように、第１及び第２のフラットケーブル部２０１，２０２に共通したフラットケーブル本体２０３を備えている。フラットケーブル本体２０３は、図５（ｂ）に模式的に示されるように、所要の間隔を隔てて互いに平行に配置された複数本（例えば、５０本）の平板状の導体２０３ａと、複数本の導体２０３ａの両面を全長にわたり被覆する接着層が形成された合樹樹脂製の絶縁フィルム２０３ｂとを有している。平板状の導体２０３ａは、硬銅を焼なましした軟銅箔からなる。また、絶縁フィルム２０３ｂは、ポリエチレンテレフタレートやポリエチレンナフタレート等の合成樹脂製フィルムからなる。フラットケーブル本体２０３の両端部には、図６に示されるように、導体２０３ａが露出しており、導体２０３ａの露出部には、金メッキや錫メッキ等が施されて電気的な接触抵抗が低減されている。
【００６９】
フラットケーブル本体２０３は、例えば、導体２０３ａの厚さが０．０３５ｍｍ、幅が０．３２ｍｍ、ピッチが０．５ｍｍに設定されている。フラットケーブル本体２０３は、種々の伝送方式に使用される。例えば、ＬＶＤＳ(Low Voltage Differential Signaling)による伝送方式の場合には、２８０Ｍ〜２Ｇｂｐｓの伝送速度でディファレンシャルモードにおける特性インピーダンスが１００Ωに設定されている。また、Ｖ−ｂｙ−Ｏｎｅによる伝送方式の場合には、例えば、３．７５Ｇｂｐｓの伝送速度で使用される。
【００７０】
フレキシブルフラットケーブル２００を介して高周波信号を伝送する場合には、図５（ｂ）に示されるように、フレキシブルフラットケーブル２００を構成する導体２０３ａから放射される高周波の電磁波ノイズが周囲の電子機器等に影響を与える電磁(波)障害（Electro Magnetic   Interference）が問題となる。
【００７１】
この実施の形態に係るフレキシブルフラットケーブル２００は、フラットケーブル本体から放射される電磁障害（ＥＭＩ）を低減する電磁遮蔽（シールド）構造を有している。フレキシブルフラットケーブル２００の第１のフラットケーブル部２０１は、図６及び図７に示されるように、フラットケーブル本体２０３の表裏両面及び両側面を含む全周を被覆する第１のシールド層２０４を備えている。第１のシールド層２０４は、アルミニウム（Ａｌ）や銅（Ｃｕ）、あるいは銀（Ａｇ）等からなる金属層２０４ａが内面に蒸着されるとともに、金属層の内面に接着層が形成されたポリエチレンテレフタレートやポリエチレンナフタレート等の合成樹脂製テープ２０４ｂから構成されている。第１のシールド層２０４は、金属層２０４ａを内側にしてフラットケーブル本体２０３の全周に巻き付けられた状態で設けられている。なお、第１のシールド層２０４としては、アルミニウム等からなる金属箔をポリエチレンテレフタレートやポリエチレンナフタレート等の合成樹脂製フィルムに接着等の手段で貼り付けたものを用いても良い。また、図７中、符号２０４ｃは第１のシールド層２０４の合わせ面を示している。
【００７２】
第１のシールド層２０４は、基材が軟質のポリエチレンテレフタレートやポリエチレンナフタレート等の合成樹脂からなり、シールドとして機能するアルミニウム等からなる金属層は、蒸着により形成されているため、可撓性を有している。その結果、第１のフラットケーブル部２０１は、コントロール基板９１に接続する際など、湾曲自在に構成されている。また、第１のフラットケーブル部２０１の端部には、コントロール基板９１のソケット２０５に接続するためのプラグ２０６が取り付けられている。
【００７３】
一方、フレキシブルフラットケーブル２００の第２のフラットケーブル部２０２は、図６及び図８に示されるように、フラットケーブル本体２０３の表面又は裏面の一方の表面を被覆する第２のシールド層２０７を備えている。第２のシールド層２０７は、銅（Ｃｕ）やアルミニウム（Ａｌ）、あるいは銀（Ａｇ）等からなる金属層（箔）２０７ａを蒸着やプリント等によって格子（メッシュ）状に形成したポリエチレンテレフタレートやポリエチレンナフタレート等の合成樹脂製のフィルム２０７ｂから構成されている。第２のシールド層２０７を構成する金属層（箔）２０７ａは、その格子の大きさがフラットケーブル本体２０３を流れる高周波信号の波長よりも大幅に小さい値に設定されている。なお、第２のシールド層２０７としては、銅（Ｃｕ）やアルミニウム（Ａｌ）等からなる金属箔をポリエチレンテレフタレートやポリエチレンナフタレート等の合成樹脂製フィルムに接着等の手段で貼り付けたものを用いても良い。
【００７４】
また、第２のシールド層２０７は、基材が軟質のポリエチレンテレフタレートやポリエチレンナフタレート等の合成樹脂製フィルム２０７ｂからなり、シールドとして機能する銅等からなる金属層２０７ａは、格子状に形成されているため、第１のシールド層２０５に比較して高い可撓性を有している。その結果、第２のフラットケーブル部２０２は、移動体８５の副走査方向に沿った往復移動に伴って摺動部が副走査方向に沿って移動する際など、可撓性に優れた高い湾曲性を有している。また、第２のフラットケーブル部２０２の端部には、第１の回路基板９０の図示しないソケットに接続するためのプラグ２０８が取り付けられている。
【００７５】
これに対して、第１のシールド層２０４は、フラットケーブル本体２０３の表裏両面及び両側面を含む全周を、アルミニウム等からなる金属層２０４ａを蒸着した合成樹脂製の絶縁性フィルム２０４ｂによって被覆したものであり、フラットケーブル本体２０３の表面又は裏面を銅等からなる金属層２０７ａを格子（メッシュ）状に設けた絶縁性フィルム２０７ｂからなる第２のシールド層２０７に比較して、電磁遮蔽機能が高く設定されている。
【００７６】
また、フレキシブルフラットケーブル２００は、第１のフラットケーブル部２０１の第１シールド層２０４と第２のフラットケーブル部２０２の第２シールド層２０７とが次のようにして接続されている。第１のフラットケーブル部２０１の端部には、図６に示されるように、フラットケーブル本体２０３の表面に第１のシールド層２０４の金属層２０４ａと第２のシールド層２０７の金属層２０７ａとを電気的に接続するための接続板（グランド板）２１０が積層されている。第２のシールド層２０７は、第１のフラットケーブル部２０１に積層された接続板２１０の第２のフラットケーブル部２０２側の表面を覆うように延長して設けられている。また、第１のシールド層２０４は、接続板２１０の第１のフラットケーブル部２０１側の表面及び第２のシールド層２０７の表面を覆うように設けられている。その結果、第１のシールド層２０４の導電層２０４ａと第２のシールド層２０７の導電層２０７ａは、接続板２１０を介して電気的に接続されている。なお、第１シールド層２０４の導電層２０４ａ及び第２シールド層２０７の導電層２０７ａに設けられている接着層は、一部が除去され、露出した第１シールド層２０４の導電層２０４ａ及び第２シールド層２０７の導電層２０７ａが接続板２１０に接続される。
【００７７】
また、第１のフラットケーブル部２０１の端部には、第１のシールド層２０４をアース電位に接続するための接続板（グランド板）２１１が、フラットケーブル本体２０３及び調製層の表裏両面を覆うように設けられている。さらに、第２のフラットケーブル部２０２の端部は、第２のシールド層２０５をアース電位に接続するための接続板（グランド板）２１２によって、フラットケーブル本体２０３の表裏両面が覆われている。なお、第１のフラットケーブル部２０１には、フラットケーブル本体２０３の表裏両面が誘電率を調整するための調製層２１３によって被覆されている。
【００７８】
＜画像読取装置の要部の作用＞
この実施の形態１に係る画像読取装置３では、次のようにして、画像読取素子８３で読み取られた原稿６の画像データが、第１の回路基板９０からフレキシブルフラットケーブル（ＦＦＣ）２００を介してコントロール基板９１に出力される。
【００７９】
画像読取装置３では、図２に示されるように、第２の読取モードにより原稿６の画像を読み取る際、原稿台７６上に置かれた原稿６の画像を、移動体８５に搭載された光源７８により照明しつつ原稿６からの反射光像をミラー８０により反射し、結像レンズ８４を介して画像読取素子８３上に走査露光する。その際、移動体８５は、図示しない駆動手段によって副走査方向に沿って駆動され、原稿台７６上に置かれた原稿６の全面を走査する。
【００８０】
原稿６の画像は、画像読取素子８３によって読み取られてアナログ信号に変換された後、第１の回路基板９０からフレキシブルフラットケーブル２００を介してコントロール基板９１に出力される。コントロール基板９１では、画像処理回路によりシェーディング補正等の所要の画像処理が施される。
【００８１】
このとき、フレキシブルフラットケーブル２００の第２のフラットケーブル部２０２は、図５に示されるように、移動体８５の往復移動に伴って当該第２のフラットケーブル部２０２を折り返した摺動部が副走査方向に沿って移動する。
【００８２】
フレキシブルフラットケーブル２００の第２のフラットケーブル部２０２は、フラットケーブル本体２０３の一方の表面のみを第２のシールド部材２０７で被覆して構成したものであり、第１のフラットケーブル部１０１に比較して可撓性が高いものとなっている。その結果、第２のフラットケーブル部２０２は、移動体８５の往復移動に伴う折り返し変形を受けた場合であっても、フラットケーブル本体２０３に大きな曲げ応力等が作用することが回避でき、良好な信号伝送性能が長期間にわたって維持される。
【００８３】
また、フレキシブルフラットケーブル２００の第１のフラットケーブル部２０１は、第２のフラットケーブル部２０２に比較して電磁遮蔽機能が高いものとなっている。そのため、第１のフラットケーブル部１０１は、コントロール基板９１に画像信号を出力する際に、第２のフラットケーブル部２０２に比較して高い電磁遮蔽機能に基づいて、画像処理等の種々の信号処理を行うコントロール基板９１などに対して電磁放射による影響を与えることが抑制される。
【００８４】
フレキシブルフラットケーブル２００は、誘電体を含む異なる電磁遮蔽構造を有する第１のフラットケーブル部２０１及び第２のフラットケーブル部２０２のフレキシブルフラットケーブルの全長に対する電磁遮蔽構造の構成割合を変えることで、フレキシブルフラットケーブル２００に伝送される信号の周波数に対する共振減衰周波数帯域を４ＧＨｚ以上に設定している。
【００８５】
実験例
図９乃至図１１はこの実施の形態１に係るフレキシブルフラットケーブルの高周波伝送特性を示すものである。
【００８６】
図９はフレキシブルフラットケーブル２００を介して伝送される高周波信号波形の遷移を多数サンプリングして重ね合わせたアイパターンを示している。この図９から明らかなように、信号波形が同じ位置(タイミング・電圧)で複数重ね合わされており、時間軸方向での信号波形の揺らぎ自身や、その揺らぎによって生じる画像データなどの乱れを示すジッターが抑制された良好な品質の伝送特定を有することが判る。
【００８７】
また、図１０はフレキシブルフラットケーブル２００の特性インピーダンスを示すグラフである。
【００８８】
この図１０から明らかなように、フレキシブルフラットケーブル２００に要求される特性インピーダンス１００Ωに対して、本実施の形態に係るフレキシブルフラットケーブル２００は、ほぼ要求を満たしている。
【００８９】
図１１はフレキシブルフラットケーブル２００の挿入損失の周波数特性を示すグラフである。同図（ａ）はフレキシブルフラットケーブル２００の全長が３００ｍｍの場合を、同図（ｂ）はフレキシブルフラットケーブル２００の全長が７００ｍｍの場合をそれぞれ示している。
【００９０】
図１１から明らかなように、本実施の形態に係るフレキシブルフラットケーブル２００の場合には、共振減衰周波数帯域が４ＧＨｚ以上と高く、３．７５Ｇｂｐｓの伝送速度に対して良好な伝送特性を得られることが判る。
【００９１】
これに対して、フレキシブルフラットケーブルの電磁遮蔽構造が単一材で構成されている場合、誘電体となる電磁波遮蔽素材の固有の周波数帯域で共振減衰が発生していることを本発明者は確認している。
【００９２】
[実施の形態２]
図１２及び図１３はこの発明の実施の形態２に係るフレキシブルフラットケーブル及び画像読取装置を示す構成図である。
【００９３】
＜画像読取装置の構成＞
画像読取装置３は、図１２及び図１３に示されるように、筐体３１の内部に、原稿６を照明するための光を照射する照明ランプやＬＥＤ（Light Emitting Diode）等からなる光源７８と、光源７８から出射された光の一部を原稿６の方向へ向けて反射する反射部材としてのリフレクタ７９と、原稿６の反射光を受ける第１のミラー８０と、第１のミラー８０からの反射光を受ける第２のミラー８１と、第２のミラー８１からの反射光を受ける第３のミラー８２と、第３のミラー８２からの反射光をＣＣＤ（Charge-Coupled Device）等からなる画像読取素子８３に結像する結像レンズ８４などを有する画像読取部とを備えている。光源７８、リフレクタ７９及び第１乃至第３のミラー８０〜８２は、副走査方向（図２の紙面に直交する方向）に沿って配置されている。また、光源７８は、正反射板７２及びリフレクタ７９方向に向けて光を発する。
【００９４】
光源７８、リフレクタ７９及び第１のミラー８０は、主走査方向に沿って配置され、副走査方向に沿って移動可能に設けられたキャリッジからなる第１の移動体８５に固定されている。第１の移動体８５は、筐体３１の後壁３１６に副走査方向に沿って配置された第１のレール８６に案内されて、副走査方向に移動しながら原稿６の読取対象領域を照明し、第１のミラー８０によって原稿６の反射光を第２の移動体８７の第２のミラー８１に向けて反射する。
【００９５】
また、第２のミラー８１及び第３のミラー８２は、主走査方向に沿って配置され、副走査方向に沿って移動可能に設けられたキャリッジからなる第２の移動体８７に固定されている。第２の移動体８７は、筐体３１の底壁３１３に副走査方向に沿って配置された第２のレール８８に案内されて、副走査方向に移動しながら、原稿６の反射光を画像読取部８９の結像レンズ８４に向けて反射する。第１のレール８６及び第２のレール８８は、主走査方向に沿った両端部に対向するようにそれぞれ１つずつ配置されている。
【００９６】
画像読取部８９は、底壁３１３に支持されたベース板８９に固定された、レンズ８４及び画像読取素子８３を実装した回路基板９０を有している。画像読取部８９は、第３のミラー８２からの反射光が結像レンズ８４を透過してＣＣＤ等からなる画像読取素子８３に結像し、画像読取素子８３によって原稿６の画像を読み取って画像データを出力するように構成されている。
【００９７】
第２の読取モードでは、第１の移動体８５及び第２の移動体８７が図示しない駆動機構によって駆動され、第１の移動体８５が副走査方向に移動する間、原稿６の画像読取部位から後述する画像読取素子８３までの光路長が変動しないように、第２の移動体８７の移動量が第１の移動体８５の移動量の半分となるよう構成されている。図２中、二点鎖線は、第１の移動体８５が原稿６の副走査方向の端部付近に移動したときの第１の移動体８５及び第２の移動体８７の位置を示している。
【００９８】
＜画像読取装置の要部の構成＞
この実施の形態２に係る画像読取装置３は、図１３に示されるように、画像読取素子８３が実装された第１の回路基板９０とコントロール基板９１とを接続するフレキシブルフラットケーブル（ＦＦＣ）２００を備えている。
【００９９】
このフレキシブルフラットケーブル２００は、コントロール基板９１側に配置される第１のフラットケーブル部２０１と、第１の回路基板９０側に配置される第２のフラットケーブル部２０２とから構成されている。
【０１００】
この実施の形態２では、コントロール基板９１及び第１の回路基板９０との接続部に湾曲部を有するものの、画像読取素子８３が実装された第１の回路基板９０は、画像読取装置３の筐体３１に固定されているため、実施の形態１と異なり摺動部を備えていない。
【０１０１】
ところで、この実施の形態２に係るフレキシブルフラットケーブル２００は、第１のフラットケーブル部２０１と第２のフラットケーブル部２０２とから構成されているため、第１のフラットケーブル部２０１のシールド層２０４と第２のフラットケーブル部２０２のシールド層２０７の構成を適宜設定することにより、画像読取装置３を設計する際の自由度を高めることが可能となっている。
【符号の説明】
【０１０２】
１…画像形成装置
１ａ…画像形成装置本体
３…画像読取装置
２００…フレキシブルフラットケーブル
２０１…第１のフラットケーブル部
２０２…第２のフラットケーブル部
２０４…第１のシールド部
２０５…第２のシールド部
【図１】
2016189240.tif 000003
【図２】
2016189240.tif 000004
【図３】
2016189240.tif 000005
【図４】
2016189240.tif 000006
【図５】
2016189240.tif 000007
【図６】
2016189240.tif 000008
【図７】
2016189240.tif 000009
【図８】
2016189240.tif 000010
【図９】
2016189240.tif 000011
【図１０】
2016189240.tif 000012
【図１１】
2016189240.tif 000013
【図１２】
2016189240.tif 000014
【図１３】
2016189240.tif 000015